(57)【要約】【課題】洗面台等に設置される水はね防止具の上端縁と利用者の顔や手がぶつかった場合でも、利用者の使用感を損なわないようにする。【解決手段】水はね防止具１は洗面台１０の蛇口１６に取り付けられる。水はね防止具１は、凹状の水受面３を備える水受板２を有している。水受板２には取付孔４が形成されており、取付孔４に蛇口１６を挿通させることにより、洗面ボウル１１内に取り付けられる。洗面ボウル１１から飛散する水滴は水受面３に受け止められ、下方に案内されて洗面ボウル１１内に流れ込む。水受板２の上端部には、塩化ビニル製のエッジカバー３６が取り付けられる。エッジカバー３６には、テープ挿入孔３８に挿入されたテープ３９が巻装される。エッジカバー３６は、装着溝３７を有する断面略Ｕ字形となっており、水受板２の上縁部２ｅを挟持しつつ、水受板２の上端部に固定される。【選択図】図１
2012254274.tif 000002
【特許請求の範囲】
【請求項１】
蛇口に取り付けられ、その下端部が流し内に収容される水受板を有し、前記水受板によって、前記流しの外に飛散しようとする水滴を受け止め、前記流し内に案内する水はね防止具であって、
前記水受板の上縁部に取り付けられ、前記水受板の端部を覆うように装着される合成樹脂製のカバー部材を有することを特徴とする水はね防止具。
【請求項２】
請求項１記載の水はね防止具において、前記カバー部材は断面略Ｕ字形に形成され、該カバー部材の中央部に形成された溝部にて前記水受板の端部を挟持しつつ、前記上縁部に取り付けられることを特徴とする水はね防止具。
【請求項３】
請求項１または２記載の水はね防止具において、前記水受板の上縁部に、前記カバー部材脱落防止用のテープが取り付けられるテープ挿入孔を設け、前記テープを前記テープ挿入孔に挿入しつつ前記カバー部材に巻き付けることにより、前記カバー部材を前記水受板の端部に固定することを特徴とする水はね防止具。
【請求項４】
請求項３記載の水はね防止具において、
前記テープは、剥離紙が付着した糊付きの合成樹脂製フィルムにて帯状に形成され、
前記剥離紙は複数の部位に分割されてなり、その両端部には、前記テープが付着していない剥離部を有することを特徴とする水はね防止具。
【請求項５】
請求項１または２記載の水はね防止具において、前記水受板の上縁部に、前記カバー部材脱落防止用の固定片が取り付けられる固定片取付孔を設け、
前記カバー部材は、前記固定片取付孔に挿入し固定された前記固定片によって、前記水受板の端部に固定されることを特徴とする水はね防止具。
【請求項６】
請求項５記載の水はね防止具において、
前記固定片は、帯状のシート片と、前記シート片の一端側に形成されたフック部と、を有し、
前記フック部は、半円形の頭端部と、前記シート片から幅方向に張り出す形で設けられた係止部と、を有し、
前記シート片は、他端側から順に配された第１〜第３の折り目を有し、
前記固定片は、前記第１〜第３の折り目を折り曲げつつ、前記シート片を前記カバー部材に巻き付け、前記フック部を前記固定片取付孔に係合させることにより、前記カバー部材を前記水受板の端部に固定することを特徴とする水はね防止具。
【請求項７】
請求項１または２記載の水はね防止具において、前記水受板の上縁部に、前記カバー部材脱落防止用の固定フックが取り付けられるフック取付孔を設け、
前記カバー部材は、該カバー部材の外側に装着され、前記フック取付孔に取り付けられた前記固定フックによって、前記水受板の端部に固定されることを特徴とする水はね防止具。
【請求項８】
請求項７記載の水はね防止具において、
前記固定フックは、断面が略Ｕ字状に形成され、その一端側に、前記フック取付孔に挿入される係合ボスを有し、
前記水受板の端部に取り付けた前記カバー部材を前記固定フックにて挟持するように、前記固定フックを前記カバー部材に装着し、前記フック取付孔に前記係合ボスを抜け止め固定することにより、前記カバー部材を前記水受板の端部に固定することを特徴とする水はね防止具。
【請求項９】
請求項１〜８のいずれか１項に記載の水はね防止具において、前記水受板は透明素材の合成樹脂にて形成され、前記カバー部材は、前記水受板よりも柔軟な着色素材の合成樹脂にて形成されることを特徴とする水はね防止具。
【発明の詳細な説明】
【技術分野】
【０００１】
本発明は、洗面台や流し台などに取り付けて水の飛散を防止する水はね防止具に関し、特に、防止具の上縁部を覆うエッジカバーに関する。
【背景技術】
【０００２】
洗面所や台所などの洗面台や流し台では、手洗いや洗面、水仕事等の際に、洗面ボウルなどの流しから周囲に水滴が飛び散るのを防止するため、特許文献１,２のような水はね防止具が提案されている。特許文献１の水はね防止具では、洗面ボウルの脇のカウンターに板材を直立させ、カウンターを超えて飛び散ろうとする水滴を板材によって遮断する。特許文献２の水はね防止具は、凹状の水受面を備えた水受板を洗面ボウルの奥壁部に取り付け、この水受板にて飛散する水滴を受け止め、洗面台周りへの水はねを防止している。
【先行技術文献】
【特許文献】
【０００３】
【特許文献１】特開平１１−２２５８９８号公報
【特許文献２】特開２００５−３４２３８号公報
【特許文献３】特開２００６−１５２７５３号公報
【発明の概要】
【発明が解決しようとする課題】
【０００４】
ところが、従来の水はね防止具は、カウンター脇に設けた板材や、洗面ボウルに取り付けた水受板が、立設状態で洗面台等に配置されるため、板材の上端縁が、洗面や手洗い等を行う利用者に対向する形となる。その状態で、利用者が洗面等を行うと、板材の上端縁と利用者の顔や手がぶつかる可能性があり、使用感が良くないという問題があった。特に、板材に割れが生じた場合、そのまま使用を続けていると、その割れ部分に顔や手が当たってしまい、さらに使用感が損なわれるという問題があり、その対策が求められていた。
【０００５】
本発明の目的は、洗面や手洗い等を行う利用者の顔や手が、洗面台等に設置される水はね防止具の上端縁とぶつかった場合でも、当該利用者の使用感を損なわないようにすることにある。
【課題を解決するための手段】
【０００６】
本発明の水はね防止具は、蛇口に取り付けられ、その下端部が流し内に収容される水受板を有し、前記水受板によって、前記流しの外に飛散しようとする水滴を受け止め、前記流し内に案内する水はね防止具であって、前記水受板の上縁部に取り付けられ、前記水受板の端部を覆うように装着される合成樹脂製のカバー部材を有することを特徴とする。
【０００７】
本発明にあっては、水はね防止具の上縁部に合成樹脂製のカバー部材を装着することにより、水受板の上端縁の存在が明確となり、洗面や手洗い等の際に利用者が上端縁にぶつからないよう注意喚起できる。また、デザイン上のアクセントともなり、水はね防止具の意匠的な美観も向上する。
【０００８】
前記水はね防止具において、前記カバー部材を断面略Ｕ字形に形成し、該カバー部材の中央部に形成された溝部にて前記水受板の端部を挟持しつつ、前記カバー部材を前記上縁部に取り付けるようにしても良い。
【０００９】
また、前記水受板の上縁部に、前記カバー部材脱落防止用のテープが取り付けられるテープ挿入孔を設け、前記テープを前記テープ挿入孔に挿入しつつ前記カバー部材に巻き付けることにより、前記カバー部材を前記水受板の端部に固定するようにしても良い。この場合、剥離紙が付着した糊付きの合成樹脂製フィルムにて前記テープを帯状に形成しても良い。また、前記剥離紙を複数の部位に分割し、その両端部に、前記テープが付着していない剥離部を設けても良い。
【００１０】
本発明の水はね防止具では、前記水受板の上縁部に、前記カバー部材脱落防止用の固定片が取り付けられる固定片取付孔を設け、前記固定片取付孔に挿入し固定された前記固定片により、前記カバー部材を前記水受板の端部に固定するようにしても良い。この場合、前記固定片を、帯状のシート片と、前記シート片の一端側に形成されたフック部と、を有する構成とし、前記フック部に、半円形の頭端部と、前記シート片から幅方向に張り出す形で設けられた係止部と、を設けると共に、前記シート片に、他端側から順に配された第１〜第３の折り目を設け、前記第１〜第３の折り目を折り曲げつつ、前記シート片を前記カバー部材に巻き付け、前記フック部を前記固定片取付孔に係合させることにより、前記カバー部材を前記水受板の端部に固定しても良い。
【００１１】
なお、前記固定片の尾端部を前記固定片取付孔に挿入し、前記第１の折り目を折り曲げた後、前記第３の折り目に沿って、前記尾端部を前記水受板の上縁部を越える形で折り曲げ、その状態で、前記第１の折り目から先の前記尾端部を前記固定片取付孔に挿入し、前記尾端部が前記固定片取付孔から抜け出ないように押さえつつ、前記頭端部を引っ張り、前記第２の折り目を折り曲げることにより、前記固定片を前記固定片取付孔に保持し、その上で、前記水受板の上縁部に前記カバー部材を取り付け、このカバー部材を覆うように、前記頭端部を前記カバー部材に巻き付け、その後、前記フック部を前記固定片取付孔に挿入することにより、前記カバー部材を前記水受板の端部に固定するようにしても良い。
【００１２】
また、本発明の水はね防止具では、前記水受板の上縁部に、前記カバー部材脱落防止用の固定フックが取り付けられるフック取付孔を設け、前記カバー部材の外側に装着され、前記フック取付孔に取り付けられた前記固定フックによって、前記カバー部材を前記水受板の端部に固定するようにしても良い。この場合、前記固定フックを、断面が略Ｕ字状に形成し、その一端側に、前記フック取付孔に挿入される係合ボスを設け、前記水受板の端部に取り付けた前記カバー部材を前記固定フックにて挟持するように、前記固定フックを前記カバー部材に装着し、前記フック取付孔に前記係合ボスを抜け止め固定することにより、前記カバー部材を前記水受板の端部に固定しても良い。
【００１３】
さらに、前記水受板を透明素材の合成樹脂にて形成すると共に、前記カバー部材を、前記水受板よりも柔軟な着色素材の合成樹脂にて形成しても良い。
【発明の効果】
【００１４】
本発明によれば、水はね防止具の上縁部に合成樹脂製のカバー部材を装着するようにしたので、洗面や手洗い等を行う利用者に水受板の上端縁の存在を明確に認識させることが可能となる。従って、洗面や手洗い等の際に、利用者の手や顔が上端縁にぶつからないよう注意喚起でき、子供や高齢者でも安心して洗面等を行うことが可能となる。また、カバー部材は、水はね防止具のデザイン上のアクセントともなり、水はね防止具の意匠的な美観を向上させることも可能となる。
【図面の簡単な説明】
【００１５】
【図１】本発明の実施例１である水はね防止具の使用状態を示す斜視図である。
【図２】図１の水はね防止具の拡大斜視図である。
【図３】吸盤の取付構造を示す説明図である。
【図４】吸盤固定ピンの変形例を示す説明図であり、（ａ）はその正面、（ｂ）は側面、（ｃ）はその取付状態を示す説明図である。
【図５】エッジカバーの取付構造を示す説明図であり、（ａ）はその正面図、（ｂ）は（ａ）のＡ−Ａ線に沿った断面図である。
【図６】エッジカバー脱落防止用テープの構成を示す説明図であり、（ａ）は表面側、（ｂ）は裏面側、（ｃ）はその断面を示している。
【図７】図６のテープを取り付ける手順を示す説明図である。
【図８】ボスと奥壁部の当接部の構成を示す説明図である。
【図９】本発明の実施例２である水はね防止具におけるエッジカバー固定部の構成を示す説明図であり、（ａ）はその正面図、（ｂ）は（ａ）のＡ−Ａ線に沿った断面図である。
【図１０】図９の水はね防止具にて使用される固定片の構成を示す説明図である。
【図１１】固定片によってエッジカバーを取り付ける手順を示す説明図である。
【図１２】本発明の実施例３である水はね防止具におけるエッジカバーの取付構造を示す説明図であり、（ａ）は水受板の内側からエッジカバー固定部を見た状態、（ｂ）は水受板の外側からエッジカバー固定部を見た状態をそれぞれ示している。
【図１３】エッジカバー固定部の構成を示す断面図である。
【図１４】図１２の水はね防止具にて使用される固定フックの構成を示す説明図である。
【発明を実施するための形態】
【００１６】
以下、本発明の実施例を図面に基づいて詳細に説明する。
【実施例１】
【００１７】
図１は、本発明の実施例１である水はね防止具１の使用状態を示す斜視図、図２は、図１の水はね防止具１の拡大斜視図である。図１に示すように、水はね防止具１が取り付けられる洗面台１０は、流しとしての洗面ボウル１１と、洗面ボウル１１の周囲を取り囲むように形成されるカウンター１３とを備えている。カウンター１３の背後には、上方に延びるバックガード１４が取り付けられている。バックガード１４には、化粧鏡１５が取り付けられている。バックガード１４と洗面ボウル１１との間のカウンター１３には、蛇口１６が取り付けられている。なお、バックガード１４を全て化粧鏡によって覆うようにしても良い。
【００１８】
蛇口１６は、上方に延びる蛇口本体１７を備えている。蛇口本体１７の上端には、水栓レバー１８が組み付けられている。蛇口本体１７の外周面には、ほぼ水平方向に延びる導水管１９が設けられている。導水管１９の先端には、下方に開口する吐水口２０が設けられている。水栓レバー１８を操作することにより、吐水口２０から水道水が流出する。洗面ボウル１１の底面には、排水口２１が形成されている。洗面ボウル１１内に流された水道水は、排水口２１より外部に排出される。洗面ボウル１１の奥壁部１２ａには、洗面ボウル１１内の上限水位を定めるオーバーフロー口２２が形成されている。上限水位に達した水道水は、オーバーフロー口２２から排水される。
【００１９】
水はね防止具１は、図１,２に示すように、水受板２によって形成されている。水受板２は、略平板状の基板部２ａと、基板部２ａの両側から前方（手前側）に湾曲して延びる側方湾曲部２ｂとを備えている。水受板２には、基板部２ａと側方湾曲部２ｂとによって凹状の水受面３が形成されている。水受板２の上部は、水受面３側（手前側）に湾曲して延びる上方湾曲部２ｃとなっている。水受板２は、合成樹脂材料を用いて一体に成型されており、樹脂材料としては、例えば、ＰＥＴ（ポリエチレンテレフタレート）樹脂が用いられる。
【００２０】
基板部２ａの中央部やや上方には、取付孔４が開口形成されている。水はね防止具１は、この取付孔４に導水管１９を挿通することにより、図１に示すように、蛇口１６に取り付けられる。水受板２の上部にはまた、２つの貫通孔５が形成されている。貫通孔５は、取付孔４の両側にそれぞれ形成されており、各貫通孔５は、取付孔４から水受板２の幅方向にほぼ等間隔の位置に開口している。貫通孔５は、水受板２を安定させるために設けられており、万一、水受板２の取付状態が安定しない場合には、図２に示すように、貫通孔５に紐４１の一端を結びつける。そして、蛇口１６などに紐４１の他端を結び付けることにより、水受板２の揺れ動きを抑制できる。
【００２１】
水受板２の側方湾曲部２ｂの下端部外側には、吸盤３１が取り付けられている。図３は、吸盤３１の取付構造を示す説明図である。図３に示すように、吸盤３１は、側方湾曲部２ｂに形成された吸盤取付孔３２に装着される。吸盤取付孔３２に装着された吸盤３１は、吸盤固定ピン３３によって抜け止め固定される。吸盤３１には、ピン孔３１ａが設けられており、吸盤固定ピン３３はピン孔３１ａに挿入固定される。
【００２２】
吸盤固定ピン３３は、球状の頭部３３ａと、頭部３３ａから突設された脚部３３ｂとから構成されている。脚部３３ｂは、中央にスリット３３ｃを有する二股形状となっている。脚部３３ｂの外径は、ピン孔３１ａの内径よりも若干大径となっている。吸盤固定ピン３３は、スリット３３ｃを縮める形で脚部３３ｂを縮径させ、ピン孔３１ａに挿入装着される。脚部３３ｂは、ピン孔３１ａ内にて弾性的に拡径する。これにより、吸盤固定ピン３３がピン孔３１ａに固定され、吸盤３１が吸盤取付孔３２に抜け止めされた状態で装着される。
【００２３】
なお、吸盤固定ピン３３として、図４のような吸盤固定ピン４２を使用しても良い。図４（ａ）,（ｂ）に示すように、吸盤固定ピン４２では、脚部３３ｂに返し４３が設けられている。返し４３は、脚部３３ｂの延伸方向とは逆方向、すなわち、頭部３３ａに向かって尖った形となっている。返し４３は、脚部３３ｂから外側に向かって突出しており、返し４３の先端部は、脚部３３ｂの外径よりも突出している。このような返し４３は、吸盤固定ピン４２をピン孔３１ａに挿入するときは、ピン挿入の妨げとはならない。従って、ピン４２は、ピン孔３１ａにスムーズに挿入可能である。一方、図４（ｃ）のような状態から吸盤固定ピン４２を抜く方向に力が加わった場合は、返し４３がピン孔３１ａの壁面に引っ掛かり、ピン引き抜きに対して抵抗力が生じる。つまり、吸盤固定ピン４２は、返し４３により、ピン孔３１ａから抜けにくくなる。従って、図４の吸盤固定ピン４２を用いることにより、ピン４２は、さらに抜けにくい状態にてピン孔３１ａに固定される。
【００２４】
また、水受板２の下端部には、下縁部２ｄの長手方向に沿って、上端が平面状となった略半球状のボス（凸部）３４が複数個形成されている。ボス３４は水受板２の裏面側に突設されており、外方に向かって突出している。ボス３４は、２個１組となったペアが、中央に１組、両側部にそれぞれ３組設けられている。洗面ボウル１１に水はね防止具１を取り付けると、ボス３４の頂部が、奥壁部１２ａや側壁部１２ｂなどの洗面ボウル１１の内壁面１２に対向・当接し、洗面ボウル１１と水はね防止具１との間に隙間３５が形成される。
【００２５】
水受板２の上端部には、合成樹脂製のエッジカバー（カバー部材）３６が取り付けられている。図５は、エッジカバー３６の取付構造を示す説明図であり、（ａ）はその正面図、（ｂ）は（ａ）のＡ−Ａ線に沿った断面図である。エッジカバー３６は、塩化ビニルのような柔軟性のある合成樹脂にて形成されており、例えば、半透明な水色に着色されている。図５に示すように、エッジカバー３６は断面が略Ｕ字形となっており、その中央には装着溝（溝部）３７が形成されている。エッジカバー３６は、水受板２の上縁部２ｅを装着溝３７に挿入する形で、水受板２の上端部に装着される。なお、エッジカバー３６の透明度や色彩は、前述の「半透明／水色」には限定されず、不透明や他の色彩（例えば、赤や黄色など）とすることも可能である。
【００２６】
また、水受板２の上縁部２ｅには、長手方向に沿って、テープ挿入孔３８が複数個形成されている。テープ挿入孔３８は、エッジカバー脱落防止用のテープ３９を取り付けるために設けられている。テープ挿入孔３８には、エッジカバー３６を上縁部２ｅに装着した状態でテープ３９が取り付けられる。そして、テープ３９をテープ挿入孔３８に挿入しつつエッジカバー３６に複数回巻き付けることにより、エッジカバー３６は、水受板２の上縁部２ｅを挟持しつつ、水受板２の上端部に固定される。
【００２７】
図６は、未使用状態のテープ３９の構成を示す説明図であり、（ａ）は表面側、（ｂ）は裏面側、（ｃ）はその断面を示している。また、図７は、図６のテープをエッジカバー３６に取り付ける手順を示す説明図である。なお、図５〜図７では、理解を容易にするため、テープ３９等の厚みを誇張して示している。また、図５（ｂ）では、テープ３９が１回巻装されている様子が示されているが、実際は、図７のようにテープ３９を複数回巻装することが好ましい。
【００２８】
テープ３９は、概ね、幅１０ｍｍ×長さ５５ｍｍ×厚さ０.２ｍｍ程度の糊付きテープであり、ＰＥＴやＰＰ（ポリプロピレン）、塩化ビニル等の透明な合成樹脂製フィルムにて形成されている。図６に示すように、テープ３９には糊（接着剤）７１が塗布されており、未使用状態のテープ３９には剥離紙７２が取り付けられている。剥離紙７２はテープ３９よりも長くなっており、図６（ａ）のように、剥離紙７２の両端にはテープ３９のない剥離部７３ａ,７３ｂが設けられている。また、剥離紙７２には、図６（ｂ）のように、カット部７４ａ,７４ｂが設けられており、剥離紙７２は、全体が３つ（７２ａ〜７２ｃ）に分割されている。
【００２９】
このようなテープ３９は、図７（ａ）に示すように、水受板２の内側（水はね防止具１を図１のように洗面ボウル１１に取り付けたとき、使用者に対向する側）からテープ挿入孔３８に挿入される。この際、テープ３９は、カット部７４ａがテープ挿入孔３８の内端部３８ａに至る程度まで、テープ挿入孔３８に差し込まれる。テープ挿入孔３８に差し込まれたテープ３９は、この状態で剥離紙７２ａが剥がされ、水受板２の内側方向に向かってエッジカバー３６に巻き付けられる（図７（ｂ））。これにより、テープ３９の部分Ａ（剥離紙７２ａ対応部分）がエッジカバー３６の外周に貼着する。このとき、テープ３９の一端部３９ａは、図７（ｃ）に示すように、エッジカバー３６の内周縁３６ａ近傍に貼り付けられる。
【００３０】
テープ一端部３９ａをエッジカバー３６に貼り付けた後、剥離紙７２ｂを剥がし、テープ３９を水受板２の外側方向に向かってエッジカバー３６に巻き付ける（図７（ｄ））。そして、テープ他端部３９ｂを水受板２の外側からテープ挿入孔３８に挿入する。これにより、テープ３９の部分Ｂ（剥離紙７２ｂ対応部分）が、図７（ｂ）,（ｃ）の過程にてエッジカバー３６に貼着されたテープ３９の外側に貼り付けられる（図７（ｅ））。一方、このとき、テープ他端部３９ｂは水受板２の内側に引き出されており、剥離紙７２ｃに対応するテープ３９の部分Ｃが水受板２の内側に来ている。そこで、剥離紙７２ｃを剥がし、テープ３９の部分Ｃをエッジカバー３６に貼り付ける（図７（ｆ））。テープ３９の長さ寸法は、この際に、テープ他端部３９ｂがエッジカバー３６の幅の約半分まで達するように設定されている。
【００３１】
水はね防止具１では、このようにしてテープ３９をエッジカバー３６に巻き付けた後、図７（ｇ）のように、テープ他端部３９ｂに剥がれ止め７４を塗布する。テープ３９は、単に貼り付けた状態のままでは、経年によってテープ他端部３９ｂが剥がれてしまうおそれがある。そこで、テープ他端部３９ｂに、超多用途接着剤を用いて剥がれ止め７４を行う。剥がれ止め７４は、テープ他端部３９ｂを覆うように、円形、あるいは、楕円形状、帯状に形成される。これにより、経年によりテープ３９が剥がれてしまうことがなく、水はね防止具１を長年に亘って良好な状態で使用することが可能となる。
【００３２】
このような柔軟・有色のエッジカバー３６を透明な水受板２に取り付けることにより、水受板２の上端縁の存在が明確となる。このため、洗面や手洗い等の際に利用者の手や顔が上端縁にぶつからないように注意喚起することができる。また、万一、利用者が上端縁にぶつかった場合でも、エッジカバー３６が柔軟素材にて形成されているため、エッジのままの製品に比して、利用者の不快感も大幅に軽減される。さらに、板材に割れが生じた場合でも、割れ目がエッジカバー３６によって覆われ露出しないため、割れ部分に顔や手が当たってしまうことがない。従って、当該水はね防止具１は、従来の防止具に比して、利用者の使用感が損なわれず、子供や高齢者でも安心して洗面等を行うことが可能となる。
【００３３】
加えて、有色のエッジカバー３６は、透明な水受板２に対してデザイン上のアクセントともなる。従って、水はね防止具１の意匠的な美観も向上し、デザイン上の特徴を構成しつつ、利用者の使い勝手の向上を図ることが可能となる。
【００３４】
一方、当該水はね防止具１は、次のようにして洗面ボウル１１に取り付けられる。図１に示すように、水はね防止具１は、水受板２の取付孔４に蛇口１６の導水管１９を挿入する形で洗面ボウル１１に取り付けられる。この場合、水はね防止具１は、導水管１９に沿って、水受板２が洗面ボウル１１の周縁１１ａに接触するまで押し込まれる。そして、吸盤３１を洗面ボウル１１の側壁部１２ｂに吸着させる。これにより、水はね防止具１は、蛇口１６に取り付けられる形で、洗面ボウル１１に安定的に固定される。なお、万一、水受板２の取付状態が安定しない場合には、前述のように、貫通孔５に紐４１を取り付け、それを蛇口１６などに結び付けても良い。
【００３５】
水はね防止具１をこのようにして洗面ボウル１１に取り付けると、水受板２の裏面に形成されたボス３４が内壁面１２（奥壁部１２ａや側壁部１２ｂ）に当接する。図８は、ボス３４と内壁面１２との当接部の構成を示す説明図である。図８に示すように、ボス３４の頂部が内壁面１２に当接すると、水受板２と洗面ボウル１１との間に隙間３５が形成される。これにより、水はね防止具１と内壁面１２との間には、洗面ボウル１１の仕様によらず、一定の距離（ボス３４の高さＨ）を持った間隙が確実に形成される。この場合、水受板２は、前述のように、吸盤３１によってしっかりと洗面ボウル１１の内壁面１２に固定されるため、水受板２がばたつかず、隙間３５も安定的に形成される。従って、水はね防止具１と洗面ボウル１２が密接しにくくなり、両者間内の水が容易に流出し、洗面ボウル１２や水はね防止具１も汚れにくくなる。
【００３６】
図１の水はね防止具１では、水受板２の下端がオーバーフロー口２２の下方に位置しており、オーバーフロー口２２は水受板２によって塞がれた形となる。しかしながら、水はね防止具１においては、ボス３４によって隙間３５が形成されているため、水受板２と洗面ボウル１１との間にオーバーフロー口２２につながる流路が生じる。つまり、水受板２を取り付けた場合であっても、水受板２と洗面ボウル１１との間に生じる隙間３５を介して、オーバーフロー口２２と洗面ボウル１１内とが連通状態となり、オーバーフロー口２２からの排水が阻害されることがない。
【００３７】
このような洗面台１０では、水栓レバー１８を操作すると、蛇口１６の吐水口２０から水道水が流出する。これにより、洗面ボウル１１に衝突する際の跳ね返りは勿論のこと、洗面台１０で行われる各種作業によって、水滴が洗面ボウル１１の四方八方に飛び散る。ところが、図１のように水はね防止具１を洗面台１０に取り付けると、蛇口１６の方向に飛散する水滴は、水受板２に受け止められ遮断される。水受板２に遮断された水滴は、その後、重力によって水受板２の下方に案内される。その際、水受板２は、その下端が洗面ボウル１１内に入り込んだ状態となっているため、水受板２の下方に流れる水滴はそのまま洗面ボウル１１内に流れ込み、排水口２１から排出される。
【００３８】
また、水受板２の水受面３には、内側に向かって湾曲する側方湾曲部２ｂや上方湾曲部２ｃが設けられているため、上方や側方に飛散した水滴も洗面ボウル１１に向けて跳ね返る。従って、蛇口１６からの水量が増大して水滴の飛散状態が激しくなっても、水滴が洗面ボウル外に飛び散らず、飛散水滴を確実に洗面ボウル１１に案内することができる。
【００３９】
このように、洗面台１０に水はね防止具１を装着することにより、洗面や手洗い等の際に飛散する水滴を回収して洗面ボウル１１に戻すことができる。このため、洗面台１０の周囲に水滴がかかることがなく、洗面台１０の汚れを防止できることはもとより、清掃に手間を要する蛇口１６や、蛇口付近のカウンター１３及びバックガード１４の汚れも低減することができる。従って、洗面台１０を使用した後の通常の清掃作業は、障害物のない平滑なカウンター１３に付着した水滴を拭き取る容易な作業のみで良く、この作業を行うだけで洗面台１０を清潔に保つことができる。
【００４０】
また、蛇口１６の背後に設けられるバックガード１４は、図１に示すように、奥に入り込んでいるために清掃が行いにくいが、水はね防止具１を装着することにより、清掃回数を減らすることができ、清掃負担が軽減される。さらに、水滴跡が付きやすい化粧鏡１５の下部や、蛇口１６の金属面の汚れも防止でき、これらに関する清掃負担も軽減される。
【００４１】
なお、特許文献３のようなカバーを蛇口１６に取り付け、その状態で水はね防止具１を装着しても良い。この様な蛇口カバーを取り付けることにより、蛇口周りに水滴が付着せず、清掃作業がさらに容易となる。
【実施例２】
【００４２】
次に、本発明の実施例２である水はね防止具５１について説明する。図９は、本発明の実施例２である水はね防止具におけるエッジカバー固定部の構成を示す説明図である。水はね防止具５１では、エッジカバー３６を水受板２の上縁部２ｅに装着するに当たり、実施例１のテープ３９に代えて、図１０のような固定片５２を使用している。固定片５２は、概ね、幅Ｗａ１０ｍｍ×長さＬ５０ｍｍ×厚さｔ０.２ｍｍ程度の合成樹脂シートであり、上縁部２ｅに複数個形成された固定片取付孔５３に挿入される。なお、以下の実施例では、実施例１と同様の部材、部分については同一の符号を付し、その説明は省略する。
【００４３】
固定片５２は、帯状のシート片５４と、シート片５４の一端側に形成されたきのこ形状のフック部５５と、シート片５４の他端側に形成された半円形の尾端部５６とを有している。フック部５５は、半円形の頭端部５７と、固定片５２のシート片５４から幅方向に張り出す形で設けられた係止部５８とから構成されている。一方、固定片５２の他端側も半円形の尾端部５６となっている。つまり、固定片５２は両端が曲線状に形成されており、組付作業時や防止具使用時に、作業者や利用者が固定片５２によって怪我を負わないよう安全性が考慮されている。固定片５２の尾端部５６側には、３本の折り目５９ａ〜５９ｃ（第１の折り目〜第３の折り目）が付けられている。固定片５２は、各折り目５９ａ〜５９ｃに沿って折り曲げることができるようになっている。
【００４４】
図１１は、固定片５２によってエッジカバー３６を取り付ける手順を示す説明図である。ここではまず、図１１（ａ）のように、固定片５２の尾端部５６を水受板２の内側から固定片取付孔５３に挿入する。次に、折り目５９ａを折り曲げた後、折り目５９ｃに沿って、尾端部５６を上縁部２ｅを越える形で水受板２の内側に折り曲げる（図１１（ｂ））。その状態で、折り目５９ａから先の尾端部５６を固定片取付孔５３に挿入する（図１１（ｃ））。そして、尾端部５６が固定片取付孔５３から抜け出ないように押さえつつ、頭端部５７を引っ張り、折り目５９ｂを折り曲げる（図１１（ｄ））。これにより、固定片取付孔５３に挿入された固定片５２のシート片５４が、折り目５９ａ〜５９ｃが折り曲げられた状態で、上縁部２ｅに巻き付いて保持される。
【００４５】
固定片５２を固定片取付孔５３に挿入し、上縁部２ｅに巻き付かせた後、上縁部２ｅにエッジカバー３６を取り付ける（図１１（ｅ））。そして、エッジカバー３６を覆うように、頭端部５７を水受板２の内側から外側に巻き付け（図１１（ｆ））、フック部５５を固定片取付孔５３に挿入し係合させる（図１１（ｇ））。固定片取付孔５３は台形状となっており、フック部５５が入れやすく、抜けにくい形状となっている。この場合、固定片取付孔５３の上底部５３ａは、固定片５２のシート片５４よりも若干大きい寸法Ｗｕとなっている（Ｗｕ＞Ｗａ）。これに対し、下底部５３ｂの幅Ｗｄは、上底部５３ａより広いが、係止部５８の幅Ｗｋよりは小さくなっている（Ｗｄ＜Ｗｋ）。従って、フック部５５は、固定片取付孔５３に下底部５３ｂ側から斜めに挿入され、その後、孔から出た係止部５８が固定片取付孔５３の側縁５３ｃに引っ掛かり抜け止めされる。これにより、固定片５２は、エッジカバー３６の周りに巻き付いた状態で固定片取付孔５３に固定され、エッジカバー３６は、水受板２の上縁部２ｅを挟持しつつ、水受板２の上端部に固定される。
【実施例３】
【００４６】
さらに、本発明の実施例３である水はね防止具６１について説明する。図１２は、本発明の実施例３である水はね防止具６１におけるエッジカバーの取付構造を示す説明図であり、（ａ）は水受板２の内側から、（ｂ）は水受板２の外側からエッジカバーの固定部を見た状態を示している。また、図１３はエッジカバー固定部の構成を示す断面図、図１４は実施例３の水はね防止具６１にて使用される固定フック６２の構成を示す説明図である。
【００４７】
図１２〜図１４に示すように、水はね防止具６１では、図１４の固定フック６２を使用してエッジカバー３６を固定している。固定フック６２は、断面が略Ｕ字状となった合成樹脂部材であり、エッジカバー３６の外側を覆う形で水はね防止具６１に装着される。固定フック６２の一端側には係合ボス６３が突設されており、係合ボス６３は、水受板２に形成されたフック取付孔６４に挿入嵌合される。係合ボス６３は、スリット６５によって上下に分割されている。また、係合ボス６３の中央にはピン挿入孔６６が形成されている。固定フック６２の係合ボス６３の裏面側には、円形の凹部６７が設けられている。
【００４８】
水はね防止具６１では、まず、水受板２の上縁部２ｅにエッジカバー３６を取り付ける。次に、フック取付孔６４の位置に合わせて、エッジカバー３６上に固定フック６２を装着する。そして、係合ボス６３をフック取付孔６４に挿入し、固定フック６２を水受板２に固定する。その際、係合ボス６３は、その先端部を窄める形でフック取付孔６４に挿入される。フック取付孔６４に挿入された係合ボス６３は、フック取付孔６４を抜けたところでスナップフィット状に先端部が開く。これにより、係合ボス６３は水受板２に抜け止めされる。その後、係合ボス６３が閉じて水受板２から抜け出てしまうのを防止するため、ピン挿入孔６６に脱落防止ピン６８を挿入する。
【００４９】
脱落防止ピン６８は、一端側がキノコ状の頭端部６８ａ、他端側がフランジ部６８ｂとなっている。脱落防止ピン６８は、頭端部６８ａからピン挿入孔６６に圧入気味に挿入される。そして、頭端部６８ａが凹部６７内に抜け出たところで、頭端部６８ａがピン挿入孔６６の開口縁に引っ掛かり抜け止めされる。一方、フランジ部６８ｂはピン挿入孔６６よりも大径となっており、頭端部６８ａが凹部６７内に抜け出たところで、係合ボス６３の先端部に当接するようになっている。このように、水はね防止具６１では、固定フック６２をエッジカバー３６上に嵌め込んで、係合ボス６３をフック取付孔６４に挿入し、脱落防止ピン６８を装着するだけで容易にエッジカバー３６を水受板２の上縁部２ｅに固定することができる。
【００５０】
本発明は前記実施例に限定されるものではなく、その要旨を逸脱しない範囲で種々変更可能であることは言うまでもない。
例えば、前述の実施例では、水受板２の上縁部２ｅにエッジカバー３６を取り付ける構成を示したが、水受板２とエッジカバー３６を一体に成形した形態を採用することも可能である。この場合、水受板２とエッジカバー３６を前述同様の別素材にて二色成形しても良いが、同一素材にて、エッジカバー３６相当形状を上縁部２ｅに拡大形成しても良い。
【００５１】
また、水受板２とエッジカバー３６の固定方法は、前述のテープ３９には限定されず、接着剤を用いて両者を固定しても良い。その場合、前述のテープ挿入孔３８を接着剤溜まりとして使用し、その部位に接着剤を塗布するようにしても良い。勿論、テープ３９と接着剤を併用することも可能である。さらに、Ｕ字形のクリップや、ハトメ、タグピンなどを用いて水受板２にエッジカバー３６を固定しても良い。
【００５２】
加えて、ボス３４の形状は略半球状には限定されず、長手方向が長円形状となった凸部や、星形の凸部など任意の形状を採用可能である。また、上端が平面状ではなく、全体が球面状になった凸部でも良い。
【００５３】
一方、前述の実施例では、水はね防止具１を洗面台１０に取り付けているが、台所の流し台等に本発明の水はね防止具１を取り付けても良い。また、水はね防止具１の形状は、図示する形状に限られることはなく、洗面台１０や流し台の形状に応じて適宜変更しても良い。例えば、前述の水はね防止具１では、水受板２の基板部２ａを、ストレートタイプの洗面ボウルに合わせてほぼ平板状に形成しているが、基板部２ａの形状はこれに限られず、ラウンドタイプの洗面ボウルに合わせて基板部２ａを水平方向に湾曲させても良い。
【００５４】
さらに、前述の実施例では、水受板２をＰＥＴ樹脂にて形成しているが、水受板２の材料はＰＥＴ樹脂限られることはなく、耐水性を備える材料であれば他の材料を用いて水受板２を形成しても良い。また、貫通孔５の紐４１に関しても、前述のように、他端を蛇口１６に結び付けるのではなく、他端側に吸盤やねじ部材を取り付け、それらをバックガード１４や化粧鏡１５に固定することにより、水受板２の取付状態を安定させても良い。なお、貫通孔５の部位に吸盤を取り付け、奥壁部１２ａに吸着させても良い。
【符号の説明】
【００５５】
１    水はね防止具
２    水受板
２ａ  基板部
２ｂ  側方湾曲部
２ｃ  上方湾曲部
２ｄ  下縁部
２ｅ  上縁部
３    水受面
４    取付孔
５    貫通孔
１０    洗面台
１１    洗面ボウル
１１ａ  周縁
１２    内壁面
１２ａ  奥壁部
１２ｂ  側壁部
１３    カウンター
１４    バックガード
１５    化粧鏡
１６    蛇口
１７    蛇口本体
１８    水栓レバー
１９    導水管
２０    吐水口
２１    排水口
２２    オーバーフロー口
３１    吸盤
３１ａ  ピン孔
３２    吸盤取付孔
３３    吸盤固定ピン
３３ａ  頭部
３３ｂ  脚部
３３ｃ  スリット
３４    ボス（凸部）
３５    隙間
３６    エッジカバー（カバー部材）
３６ａ  内周縁
３７    装着溝（溝部）
３８    テープ挿入孔
３８ａ  内端部
３９    テープ
３９ａ  一端部
３９ｂ  テープ他端部
４１    紐
４２    吸盤固定ピン
４３    返し
５１    水はね防止具
５２    固定片
５３    固定片取付孔
５３ａ  上底部
５３ｂ  下底部
５３ｃ  側縁
５４    シート片
５５    フック部
５６    尾端部
５７    頭端部
５８    係止部
５９ａ〜５９ｃ    折り目（第１の折り目〜第３の折り目）
６１    水はね防止具
６２    固定フック
６３    係合ボス
６４    フック取付孔
６５    スリット
６６    ピン挿入孔
６７    凹部
６８    脱落防止ピン
６８ａ  頭端部
６８ｂ  フランジ部
７１    糊
７２    剥離紙
７２ａ〜７２ｃ    剥離紙
７３ａ,７３ｂ     剥離部
７４ａ,７４ｂ     カット部
Ｈ      ボス高さ
【図１】
2012254274.tif 000003
【図２】
2012254274.tif 000004
【図３】
2012254274.tif 000005
【図４】
2012254274.tif 000006
【図５】
2012254274.tif 000007
【図６】
2012254274.tif 000008
【図７】
2012254274.tif 000009
【図８】
2012254274.tif 000010
【図９】
2012254274.tif 000011
【図１０】
2012254274.tif 000012
【図１１】
2012254274.tif 000013
【図１２】
2012254274.tif 000014
【図１３】
2012254274.tif 000015
【図１４】
2012254274.tif 000016